(57)【要約】【課題】通常動作状態である外部機器の機種名情報およびその他の外部機器に関する情報を一旦記憶させた後、省電力状態の外部機器を接続した場合における機種名のＯＳＤ表示の正確性向上を図ることができる表示装置を提供する。【解決手段】電源オン状態であるビデオカメラ２００からテレビ受信機１００へメーカー名情報および機種名情報が通知されテレビ受信機１００のＮＶＲＡＭにこれらの情報が保存された後、接続状態の問合せに対して電源オフ状態の機器からテレビ受信機１００へメーカー名情報の通知があり、通知されたメーカー名情報がＮＶＲＡＭに保存されたメーカー名情報と一致した場合は、ＮＶＲＡＭに保存された機種名情報に基づき機種名がＯＳＤ表示され、もし一致しない場合は、機種名がＯＳＤ表示されない。【選択図】図１
2010004289.tif 000002
【特許請求の範囲】
【請求項１】
表示部と、記憶部と、
通常動作状態である外部機器から通知された機種名情報およびその他の少なくとも一つの前記外部機器に関する情報を前記記憶部に保存させる保存部と、
接続状態の問合せに対して省電力状態である外部機器から通知された機種名情報以外の少なくとも一つの前記外部機器に関する情報と、前記保存部により前記記憶部に保存された前記外部機器に関する情報とが一致するか否かによって、前記保存部により前記記憶部に保存された前記機種名情報に基づき前記表示部に機種名をＯＳＤ表示させるか否かを切換えるＯＳＤ部と、を備えたことを特徴とする表示装置。
【請求項２】
前記接続状態の問合せに対する通知がなかった場合、前記ＯＳＤ部は、前記表示部に機種名をＯＳＤ表示させないことを特徴とする請求項１に記載の表示装置。
【請求項３】
前記その他の少なくとも一つの前記外部機器に関する情報および前記機種名情報以外の少なくとも一つの前記外部機器に関する情報は、メーカー名情報とロジカルアドレスとの少なくともいずれかを含むことを特徴とする請求項１または請求項２に記載の表示装置。
【請求項４】
前記通常動作状態である外部機器からの通知および前記省電力状態である外部機器からの通知は、ＨＤＭＩ規格のＣＥＣコマンドを用いたものであることを特徴とする請求項１〜請求項３のいずれかに記載の表示装置。
【発明の詳細な説明】
【技術分野】
【０００１】
本発明は、表示装置に関する。
【背景技術】
【０００２】
近年、ビデオ入力端子、放送用チューナ等に加え、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子を有するテレビ受信機が増加している。ＨＤＭＩインタフェースは、デジタルＡＶ機器向けのデジタルインタフェースであり、映像や音声のデータを１本のケーブルで高速転送が可能である。また、テレビ受信機だけでなくＤＶＤレコーダ等のデジタルＡＶ機器においてもＨＤＭＩインタフェースを搭載することが一般的になりつつある。
【０００３】
一方、ＨＤＭＩ規格には、ＡＶ出力の規格と共に、ＨＤＭＩ接続された機器双方の制御を可能とするＣＥＣ（Ｃｏｎｓｕｍｅｒ  Ｅｌｅｃｔｒｏｎｉｃｓ  Ｃｏｎｔｒｏｌ）機能が規定されている。ＣＥＣ機能に対応する機器も既に多数発売されている。ＣＥＣ機能では、ＨＤＭＩ接続された機器間で双方向のコマンド通信が可能なため、１対１および１対複数の機器制御が可能である。
【０００４】
ＣＥＣ機能には色々な機能が規定されている。例えば、Ｏｎｅ  Ｔｏｕｃｈ  Ｐｌａｙ機能は、ＤＶＤレコーダ等のＰｌａｙボタンを押すと、テレビ受信機が自動で起動し、ＤＶＤレコーダ等の接続されているＨＤＭＩ入力を選択するという動作を行う機能である。規格書には他にも数多くの機能が定義されているが、どの機能を製品で実現するかはメーカーに委ねられる。
【０００５】
ＣＥＣ機能を有するテレビ受信機とＨＤＭＩ機器（ＨＤＭＩ端子を有する機器）を接続する際、ＨＤＭＩ機器は電源オン時に機器情報としてメーカー名および機種名をＣＥＣ規格の標準コマンドを用いてテレビ受信機に通知し、テレビ受信機は通知された機器情報をＲＡＭ（揮発性メモリ）やＮＶＲＡＭ（不揮発性メモリ）に保持し、機種名をメニュー等にＯＳＤ（Ｏｎ  Ｓｃｒｅｅｎ  Ｄｉｓｐｌａｙ）表示させるのが一般的である。なお、関連技術として、複数の機器の接続状態を表示する表示装置が特許文献１に開示されている。
【特許文献１】特開２００５−３５４４３３号公報
【発明の開示】
【発明が解決しようとする課題】
【０００６】
ＨＤＭＩ機器がＨＤＤレコーダ等であれば、設置後は接続および設置場所が変わることがほとんどないため、上記従来のテレビ受信機は常にＮＶＲＡＭに保持された機種名に基づき機種名をＯＳＤ表示すればよかった。
【０００７】
しかし、ビデオカメラ等のように常時接続されないＨＤＭＩ機器の場合、頻繁なつなぎ換えが発生する。電源オフ状態の別機器につなぎ換えただけでは機種名はテレビ受信機に通知されないため、テレビ受信機には前回接続されていた機器の機種名がＯＳＤ表示されるという不具合が発生した。従って、テレビ受信機に機種名を正しくＯＳＤ表示させたい場合、ユーザは接続のたびにＨＤＭＩ機器の電源をオンにしなければならないという問題があった。
【０００８】
また、テレビ受信機からＨＤＭＩケーブルを抜いたり、ＨＤＭＩ機器を電源クレードルから持ち出したりして接続が解除されても、テレビ受信機には前回接続されていた機器の機種名が表示され続けるといった問題もあった。
【０００９】
上記問題点を鑑み、本発明は、通常動作状態である外部機器の機種名情報およびその他の外部機器に関する情報を一旦記憶させた後、省電力状態の外部機器を接続した場合における機種名のＯＳＤ表示の正確性向上を図ることができる表示装置を提供することを目的とする。
【課題を解決するための手段】
【００１０】
上記目的を達成するために、本発明の表示装置は、表示部と、記憶部と、
通常動作状態である外部機器から通知された機種名情報およびその他の少なくとも一つの前記外部機器に関する情報を前記記憶部に保存させる保存部と、
接続状態の問合せに対して省電力状態である外部機器から通知された機種名情報以外の少なくとも一つの前記外部機器に関する情報と、前記保存部により前記記憶部に保存された前記外部機器に関する情報とが一致するか否かによって、前記保存部により前記記憶部に保存された前記機種名情報に基づき前記表示部に機種名をＯＳＤ表示させるか否かを切換えるＯＳＤ部と、を備えた構成としている。
【００１１】
このような構成によれば、通常動作状態である外部機器の機種名情報およびその他の外部機器に関する情報を一旦記憶部に記憶させれば、その後、その外部機器と同じである省電力状態の外部機器を接続した場合に通常動作状態にしなくても、表示部にその外部機器の機種名がＯＳＤ表示され、正しいＯＳＤ表示となる。また、通常動作状態である外部機器の機種名情報およびその他の外部機器に関する情報を一旦記憶部に記憶させれば、その後、その外部機器とは別の省電力状態の外部機器を接続した場合に通常動作状態にしなくても、前回接続されていた外部機器の機種名は表示部に表示されないので、誤った表示を防げる。
【００１２】
また、本発明の表示装置は上記構成において、前記接続状態の問合せに対する通知がなかった場合、前記ＯＳＤ部は、前記表示部に機種名をＯＳＤ表示させないようにしてもよい。
【００１３】
このような構成によれば、外部機器が接続されていない場合でも機種名がＯＳＤ表示されず、誤った表示を防ぐことができる。
【００１４】
また、本発明の表示装置は上記構成において、前記その他の少なくとも一つの前記外部機器に関する情報および前記機種名情報以外の少なくとも一つの前記外部機器に関する情報は、メーカー名情報とロジカルアドレスとの少なくともいずれかであるようにしてもよい。特に、メーカー名情報とロジカルアドレスの両方を使用することが表示の正確性向上の点で望ましい。
【００１５】
また、本発明の表示装置は上記構成において、前記通常動作状態である外部機器からの通知および前記省電力状態である外部機器からの通知は、ＨＤＭＩ規格のＣＥＣコマンドを用いたものであるようにしてもよい。
【発明の効果】
【００１６】
本発明の表示装置によれば、通常動作状態である外部機器の機種名情報およびその他の外部機器に関する情報を一旦記憶させた後、省電力状態の外部機器を接続した場合における機種名のＯＳＤ表示の正確性向上を図ることができる。
【発明を実施するための最良の形態】
【００１７】
以下、本発明に係る実施形態について図面を参照して説明する。
【００１８】
図１に、本発明に係るテレビ受信機とビデオカメラとをＨＤＭＩ接続した状態を示す。本発明に係るテレビ受信機１００のＨＤＭＩ端子と電源クレードル３００のＨＤＭＩ端子とがＨＤＭＩケーブル４００で接続され、ビデオカメラ２００が電源クレードル３００に載置される。ビデオカメラ２００が再生する映像音声信号は電源クレードル３００およびＨＤＭＩケーブル４００を介してテレビ受信機１００に入力される。また、テレビ１００とビデオカメラ２００とは電源クレードル３００およびＨＤＭＩケーブル４００を介して双方向にＣＥＣコマンドを送信できる。
【００１９】
図２に、本発明に係るテレビ受信機の概略構成図を示す。本発明に係るテレビ受信機１００は、チューナ２と、ＭＰＥＧデコーダ３と、映像処理回路４と、ＯＳＤ／スケーラ５と、ディスプレイ６と、ビデオ入力端子７と、ＨＤＭＩ端子８と、ＨＤＭＩレシーバ９と、リモコン受信部１０と、電源マイコン１１と、メインＣＰＵ１２と、ＮＶＲＡＭ１３とを備える。
【００２０】
アンテナ１は、屋外において配置されており、デジタル放送波を受信し、高周波デジタル変調信号をチューナ２に出力する。
【００２１】
チューナ２は、高周波デジタル変調信号から特定周波数の信号を取り出す。また、チューナ２は、選択されたデジタル変調信号を復調してトランスポートストリームを取り出し、トランスポートストリームからビデオストリームを分離し、ビデオストリームをＭＰＥＧデコーダ３に出力する。
【００２２】
ＭＰＥＧデコーダ３はビデオストリームに対してデコードを行い、デコード後の映像音声情報を映像処理回路４に出力する。
【００２３】
ビデオ入力端子７は、例えば、Ｓ端子やＤ端子であり、外部機器からケーブルを介してビデオ入力端子７に入力された映像情報は映像処理回路４へ出力される。
【００２４】
また、テレビ受信機１００は、３つのＨＤＭＩ端子８を備え（図２では便宜上１つのみ示す）、ＨＤＭＩ端子８にはＨＤＭＩケーブルを接続可能である。外部機器からＨＤＭＩケーブルを介してＨＤＭＩ端子８に入力された映像音声情報はＨＤＭＩレシーバ９により受信される。ＨＤＭＩレシーバ９は、受信した映像音声情報を映像情報および音声情報に分離し、映像情報にデコード処理を行い映像処理回路４に出力する。
【００２５】
映像処理回路４は、ＭＰＥＧデコーダ３、ビデオ入力端子７、ＨＤＭＩレシーバ９から入力される映像情報に対してデジタル映像処理を行う。ＯＳＤ／スケーラ５は、メインＣＰＵ１２から指示された文字情報や色情報に基づく映像信号を生成したり、放送受信映像の縮小処理を行う回路である。このＯＳＤ／スケーラ５により、番組情報に基づくＥＰＧ（Ｅｌｅｃｔｒｏｎｉｃ Ｐｒｏｇｒａｍ Ｇｕｉｄｅ）表示、データ放送表示、メニュー画面表示などが行える。そして、ディスプレイ６は、ＯＳＤ／スケーラ５から入力される映像信号に基づき映像を表示する。
【００２６】
リモコン受信部１０は、不図示のリモコン送信機からリモコン信号を受信し、これをコマンド信号に変換して電源マイコン１１に与える。
【００２７】
電源マイコン１１は、電源のオンオフを制御し、電源オフのときでも電力供給を受けて動作し、ＨＤＭＩ端子８からのＣＥＣコマンドやリモコン受信部１０からのコマンド信号を監視する等の処理を行う。メインＣＰＵ１２は、各部を制御し、電源マイコン１１とは相互に通信ができる仕様となっている。
【００２８】
また、図３に、ビデオカメラ２００の概略構成図を示す。ビデオカメラ２００は、カメラ部２０と、マイク２１と、スピーカ２２と、画像音声処理部２３と、制御部２４と、外部メモリインタフェース２５と、操作部２６と、表示部２７と、ＨＤＭＩ入出力部２８とを備える。
【００２９】
動画撮影時は、カメラ部２０で撮影された映像情報は画像音声処理部２３で圧縮処理され、外部メモリインタフェース２５を介して外部メモリ２９（例えば、ＳＤカードメモリ）に記録される。また、音声録音時は、マイク２１より入力された音声情報が画像音声処理部２３で圧縮処理され外部メモリ２９に記録される。
【００３０】
動画再生時は、外部メモリ２９から読み出された映像情報が画像音声処理部２３で伸長処理され、表示部２７に動画が表示される。また、音声再生時は、外部メモリ２９から読み出された音声情報が画像音声処理部２３で伸長処理され、スピーカ２２から音声が再生される。
【００３１】
また、ビデオカメラ２００が載置された電源クレードル３００とＨＤＭＩケーブル４００で接続された外部機器において動画再生・音声再生をする場合は、外部メモリ２９から読み出された映像音声情報は画像音声処理部２３で伸長処理され、ＨＤＭＩ入出力部２８から電源クレードル３００を介して外部機器へＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）形式で伝送される。また、制御部２４は、ＨＤＭＩ入出力部２８、電源クレードル３００を介して外部機器とのＣＥＣ通信処理を行う。操作部２６は、ビデオカメラ２００に指示を与えるための各種ボタンを有する。
【００３２】
次に、本発明におけるＯＳＤ表示制御について図４、図５のフローチャートを用いて説明する。
【００３３】
（認証動作（図４））
テレビ受信機１００と電源クレードル３００がＨＤＭＩケーブル４００で接続され、電源クレードル３００にビデオカメラ２００が載置されているとする。そして、ビデオカメラ２００の操作部２６において電源オンの操作がされると、制御部２４は、電源をオンとしビデオカメラ２００を通常動作状態にさせる。このとき、制御部２４は、ＨＤＭＩ入出力部２８を介してテレビ受信機１００にＣＥＣコマンドである電源オン要求を送信する。
【００３４】
すると、ステップＳ４０で、テレビ受信機１００の電源マイコン１１は、ＨＤＭＩ端子８から電源オン要求を受信し電源をオンとし、テレビ受信機１００を通常動作状態にさせる。そして、ビデオカメラ２００の制御部２４は、ＨＤＭＩ入出力部２８を介してテレビ受信機１００にＣＥＣコマンドを用いてメーカー名情報および機種名情報を送信する。
【００３５】
すると、ステップＳ４１で、テレビ受信機１００のメインＣＰＵ１２が、ＨＤＭＩ端子８を介してメーカー名情報および機種名情報を受信し、これらの情報をＮＶＲＡＭ１３に保存させる。
【００３６】
そして、ステップＳ４２で、メインＣＰＵ１２は、ステップＳ４１でＮＶＲＡＭ１３に保存したメーカー名および機種名情報に対応させて表示管理フラグをセットする。以上で認証が完了する。以降、リモコン送信機でＨＤＭＩ機器選択メニュー表示操作がされると、メインＣＰＵ１２は、表示管理フラグがセットされているので、ＮＶＲＡＭ１３に保存された機種名情報に基づきＯＳＤ／スケーラ５に指示を行い、ＯＳＤ／スケーラ５は指示に基づき映像信号を生成してディスプレイ６に出力し、ディスプレイ６に図６のようなＨＤＭＩ機器選択メニューが表示される。ここでは、機種名情報を受信したポート名の横に機種名が表示される。
【００３７】
（認証完了後の動作（図５））
上記認証完了後、ビデオカメラ２００の操作部２６において電源オフ操作がされ、制御部２４がＨＤＭＩ入出力部２８を介してテレビ受信機１００にＣＥＣコマンドである電源オフ要求を送信すると共に電源をオフとし、テレビ受信機１００の電源マイコン１１がＨＤＭＩ端子８を介して電源オフ要求を受信し電源をオフとしたとする。
【００３８】
それから、リモコン送信機で電源オンの操作がされ、テレビ受信機１００の電源マイコン１１が電源をオンとすると、図５のフローチャートの処理が開始される。
【００３９】
まず、ステップＳ５０で、メインＣＰＵ１２は、ＮＶＲＡＭ１３に保存された表示管理フラグを初期化する。
【００４０】
次に、ステップＳ５１で、メインＣＰＵ１２は、ＣＥＣコマンドを用いて各ＨＤＭＩポートの接続状態の問い合わせを行う（接続状態のポーリング）。そして、もしメインＣＰＵ１２が、電源オフ状態のＨＤＭＩ機器からＨＤＭＩ端子８を介してＣＥＣコマンドによりメーカー名情報を通知された場合は（ステップＳ５２のＹ）、ステップＳ５３に進む。
【００４１】
ステップＳ５３で、メインＣＰＵ１２は、通知されたメーカー名情報とＮＶＲＡＭ１３に保存されたメーカー名情報を比較し、もし一致すれば（ステップＳ５３のＹ）、ステップＳ５４に進む。ステップＳ５４で、メインＣＰＵ１２は表示管理フラグをセットし、処理終了となる。以降、リモコン送信機でＨＤＭＩ機器選択メニュー表示操作がされると、表示管理フラグがセットされているので、メインＣＰＵ１２は、ＮＶＲＡＭ１３に保存された機種名情報に基づきＯＳＤ／スケーラ５に指示を行い、ＯＳＤ／スケーラ５は指示に基づき映像信号を生成してディスプレイ６に出力し、メーカー名情報が通知されたＨＤＭＩポート名の横に機種名が表示されたメニュー表示がディスプレイ６にされる。
【００４２】
また、メーカー名が通知されなかった場合や（ステップＳ５２のＮ）、メーカー名情報が一致しなかった場合は（ステップＳ５３のＮ）、そのまま処理終了となる。以降、リモコン送信機でＨＤＭＩ機器選択メニュー表示操作がされても、表示管理フラグが初期化されているので、ＯＳＤ／スケーラ５によりディスプレイ６には機種名の表示がないメニュー表示がされる。
【００４３】
例えば、ビデオカメラ２００の電源をオフとした後、ビデオカメラ２００が載置された電源クレードル３００を別のＨＤＭＩポートにつなぎ換えた場合、テレビ受信機１００の電源をオンとすると、図５の処理が開始され、ステップＳ５２で、ビデオカメラ２００からテレビ受信機１００へメーカー名情報が通知され、ステップＳ５３で、メーカー名情報は一致するので、ステップＳ５４で表示管理フラグがセットされ、ＨＤＭＩ機器選択メニュー表示操作によりディスプレイ６には、つなぎ換えられたＨＤＭＩポート名の横に機種名が表示される。よって、ビデオカメラ２００を電源オンしなくても正しいＯＳＤ表示がされる。
【００４４】
また、ビデオカメラ２００の電源をオフとした後、電源クレードル３００に接続されたＨＤＭＩケーブルをテレビ受信機１００から引き抜き、ビデオカメラ２００とは別のメーカー製のＨＤＭＩ機器を電源オフでテレビ受信機１００に接続した場合、テレビ受信機１００の電源をオンとすると、図５の処理が開始され、ステップＳ５２で、新たなＨＤＭＩ機器からテレビ受信機１００へメーカー名情報が通知され、ステップＳ５３で、メーカー名情報は一致しないので表示管理フラグが初期化されたまま処理が終了し、ＨＤＭＩ機器選択メニュー表示操作があってもディスプレイ６には機種名は表示されない。よって、従来のように前回接続されていた機器の機種名が表示されるといった不具合が生じない。
【００４５】
また、ビデオカメラ２００の電源をオフとした後、電源クレードル３００に接続されたＨＤＭＩケーブルをテレビ受信機１００から引き抜いたり、電源クレードル３００からビデオカメラ２００を持ち出した場合、テレビ受信機１００の電源をオンとすると、図５の処理が開始され、ステップＳ５２でメーカー名情報が通知されないので、表示管理フラグが初期化されたまま処理が終了し、ＨＤＭＩ機器選択メニュー表示操作があってもディスプレイ６には機種名は表示されない。よって、従来のように前回接続されていた機器の機種名が表示されるといった不具合が生じない。
【００４６】
なお、前述した図４のステップＳ４１でメーカー名情報、機種名情報に加えてロジカルアドレスが通知されＮＶＲＡＭ１３に保存されるようにし、図５のステップＳ５２ではメーカー名情報に加えロジカルアドレスが通知され、ステップＳ５３では通知されたメーカー名情報およびロジカルアドレスがＮＶＲＡＭ１３に保存されたメーカー名情報およびロジカルアドレスと一致した場合にステップＳ５４に進み、そうでない場合に処理終了としてもよい。ここで、ロジカルアドレスとは機器種類情報であり、例えば、「ＤＶＲ」「ＤＶＤ」「オーディオチューナ」といったものである。
【００４７】
前述の実施形態では、ビデオカメラ２００とメーカーは同じだが機器種類が異なる別機器につなぎ換えた場合、ステップＳ５３で通知されたメーカー名情報とＮＶＲＡＭ１３に保存されたメーカー名情報は一致するので、ステップＳ５４に進み表示管理フラグがセットされ、ＨＤＭＩ機器選択メニュー表示操作があったときにビデオカメラ２００の機種名が表示されてしまい、誤った表示となる。しかし、上記ロジカルアドレスを用いた実施形態であれば、ステップＳ５３でロジカルアドレスが一致しないので、表示管理フラグが初期化されたまま処理終了となり、ＨＤＭＩ機器選択メニュー表示操作があったときでもビデオカメラ２００の機種名は表示されず、誤った表示を防げる。
【００４８】
また、前述した図４、図５に示す処理の変形例を図７、図８に示す。以下のような変形例によれば、ＯＳＤ表示させる機種名を所定の機種名に限定することができる。
【００４９】
図７のステップＳ７０でテレビ受信機１００の電源がオンとなり、ステップＳ７１でメインＣＰＵ１２は、ビデオカメラ２００から通知されたメーカー名情報および機種名情報が所定のメーカー名情報および機種名情報と一致するか判定し、もし一致する場合は（ステップＳ７１のＹ）、ステップＳ７２に進む。ステップＳ７２で、メインＣＰＵ１２は、通知されたメーカー名情報および機種名情報をＮＶＲＡＭ１３に保存させる。そして、ステップＳ７３で、メインＣＰＵ１２は、ＮＶＲＡＭ１３に保存したメーカー名情報および機種名情報に対応させて表示管理フラグをセットする。また、ステップＳ７１で一致しない場合は（ステップＳ７１のＮ）、そのまま処理終了となる。
【００５０】
そして、ビデオカメラ２００およびテレビ受信機１００の電源をオフとした後、テレビ受信機１００の電源をオンとすると、図８の処理が開始され、まずステップＳ８０でメインＣＰＵ１２は、ＮＶＲＡＭ１３に保存された表示管理フラグを初期化する（但し、表示管理フラグがセットされていない場合は何もしない）。
【００５１】
そして、ステップＳ８１でメインＣＰＵ１２が接続状態をポーリングし、もし電源をオフとしたＨＤＭＩ機器からメインＣＰＵ１２へメーカー情報の通知があった場合（ステップＳ８２のＹ）、ステップＳ８３に進む。ステップＳ８３でもしＮＶＲＡＭ１３にメーカー名情報および機種名情報が保存されている場合は（ステップＳ８３のＹ）、ステップＳ８４に進む。ステップＳ８４でメインＣＰＵ１２は、通知されたメーカー名情報とＮＶＲＡＭ１３に保存されたメーカー名情報を比較し、もし一致すれば（ステップＳ８４のＹ）、ステップＳ８５に進む。ステップＳ８５で、メインＣＰＵ１２は表示管理フラグをセットし、処理終了となる。以降、リモコン送信機でＨＤＭＩ機器選択メニュー表示操作がされると、表示管理フラグがセットされているので、メインＣＰＵ１２は、ＮＶＲＡＭ１３に保存された機種名情報に基づきＯＳＤ／スケーラ５に指示を行い、ＯＳＤ／スケーラ５は指示に基づき映像信号を生成してディスプレイ６に出力し、メーカー名情報が通知されたＨＤＭＩポート名の横に機種名が表示されたメニュー表示がディスプレイ６にされる。
【００５２】
また、メーカー名が通知されなかった場合や（ステップＳ８２のＮ）、ＮＶＲＡＭ１３にメーカー名情報および機種名情報が保存されていなかった場合や（ステップＳ８３のＮ）、メーカー名情報が一致しなかった場合は（ステップＳ８４のＮ）、そのまま処理終了となる。以降、リモコン送信機でＨＤＭＩ機器選択メニュー表示操作がされても、表示管理フラグが初期化されているか、表示管理フラグがないので、ＯＳＤ／スケーラ５によりディスプレイ６には機種名の表示がないメニュー表示がされる。
【００５３】
なお、以上の実施形態はあくまで一例であり、本発明の趣旨を逸脱しない範囲であらゆる変更が可能である。例えば、以上の実施形態ではテレビ受信機について説明したが、本発明はこれに限らず、ＰＣ用のモニタ等あらゆる表示装置に適用可能である。また、機器の接続はＨＤＭＩ以外のインタフェースを用いてもよい。
【図面の簡単な説明】
【００５４】
【図１】は、本発明に係るテレビ受信機とビデオカメラとをＨＤＭＩ接続した状態を示す図である。
【図２】は、本発明に係るテレビ受信機の概略構成図である。
【図３】は、ビデオカメラの概略構成図である。
【図４】は、本発明に係る認証動作に関するフローチャートである。
【図５】は、本発明に係る認証完了後の動作に関するフローチャートである。
【図６】は、ＨＤＭＩ機器選択メニュー表示の例を示す図である。
【図７】は、本発明に係る認証動作の変形例に関するフローチャートである。
【図８】は、本発明に係る認証完了後の動作の変形例に関するフローチャートである。
【符号の説明】
【００５５】
１００    テレビ受信機
２００    ビデオカメラ
３００    電源クレードル
４００    ＨＤＭＩケーブル
１    アンテナ
２    チューナ
３    ＭＰＥＧデコーダ
４    映像処理回路
５    ＯＳＤ／スケーラ
６    ディスプレイ
７    ビデオ入力端子
８    ＨＤＭＩ端子
９    ＨＤＭＩレシーバ
１０    リモコン受信部
１１    電源マイコン
１２    メインＣＰＵ
１３    ＮＶＲＡＭ
２０    カメラ部
２１    マイク
２２    スピーカ
２３    画像音声処理部
２４    制御部
２５    外部メモリインタフェース
２６    操作部
２７    表示部
２８    ＨＤＭＩ入出力部
２９    外部メモリ
【図１】
2010004289.tif 000003
【図２】
2010004289.tif 000004
【図３】
2010004289.tif 000005
【図４】
2010004289.tif 000006
【図５】
2010004289.tif 000007
【図６】
2010004289.tif 000008
【図７】
2010004289.tif 000009
【図８】
2010004289.tif 000010